(57)【要約】【課題】  新規な発光態様を提供可能な照明技術を提供する。【解決手段】  複数の発光素子２を配置する板状の素子配置部３と、素子配置部３の発光素子２を配置した側の面が鏡面とされる鏡面部４と、発光素子２の照射方向側に設けられ所定の透過率をもって光を透過する鏡面であるハーフミラー部５と、白熱電球用ソケットと結合可能な形状に形成され、ソケットから複数の発光素子に給電する口金９を備え、複数の発光素子２が、白色光を発光する発光ダイオードであり、素子配置部３上で所定の図形を描くように配置される。【選択図】図１
0003117254.tif 000002
【実用新案登録請求の範囲】
【請求項１】
発光素子を配置する板状の素子配置部と、
前記素子配置部の発光素子を配置した側の面が鏡面とされる鏡面部と、
前記発光素子の照射方向側に設けられ所定の透過率をもって光を透過する鏡面であるハーフミラー部と、を備える照明装置。
【請求項２】
複数の発光素子を配置する板状の素子配置部と、
前記素子配置部の発光素子を配置した側の面が鏡面とされる鏡面部と、
前記発光素子の照射方向側に設けられ所定の透過率をもって光を透過する鏡面であるハーフミラー部と、を備える照明装置。
【請求項３】
複数の発光素子を配置する板状の素子配置部と、
前記素子配置部の発光素子を配置した側の面が鏡面とされる鏡面部と、
前記発光素子の照射方向側に設けられ所定の透過率をもって光を透過する鏡面であるハーフミラー部と、
白熱電球用ソケットと結合可能な形状に形成され、前記ソケットから前記複数の発光素子に給電する口金とを備える照明装置。
【請求項４】
複数の発光素子を配置する板状の素子配置部と、
前記素子配置部の発光素子を配置した側の面が鏡面とされる鏡面部と、
前記発光素子の照射方向側に設けられ所定の透過率をもって光を透過する鏡面であるハーフミラー部と、
白熱電球用ソケットと結合可能な形状に形成され、前記ソケットから前記複数の発光素子に給電する口金とを備え、
前記複数の発光素子が、
素子配置部上で所定の図形を描くように配置される照明装置。
【請求項５】
複数の発光素子を配置する板状の素子配置部と、
前記素子配置部の発光素子を配置した側の面が鏡面とされる鏡面部と、
前記発光素子の照射方向側に設けられ所定の透過率をもって光を透過する鏡面であるハーフミラー部と、
白熱電球用ソケットと結合可能な形状に形成され、前記ソケットから前記複数の発光素子に給電する口金とを備え、
前記複数の発光素子が、
発光ダイオードであり、素子配置部上で所定の図形を描くように配置される照明装置。
【請求項６】
複数の発光素子を配置する板状の素子配置部と、
前記素子配置部の発光素子を配置した側の面が鏡面とされる鏡面部と、
前記発光素子の照射方向側に設けられ所定の透過率をもって光を透過する鏡面であるハーフミラー部と、
白熱電球用ソケットと結合可能な形状に形成され、前記ソケットから前記複数の発光素子に給電する口金とを備え、
前記複数の発光素子が、
白色光を発光する発光ダイオードであり、素子配置部上で所定の図形を描くように配置される照明装置。
【考案の詳細な説明】
【技術分野】
【０００１】
本考案は、発光素子を用いた照明装置に関する。
【背景技術】
【０００２】
従来から、LED（Light Emitting Diode：発光ダイオード）を用いた照明装置として、白熱電球との互換性を生じさせるために口金を白熱電球用のものと同じにしたものが知られている（例えば、特許文献１参照。）。
【０００３】
また、発光強度を高めるために、複数の発光ダイオードを集光する配置した技術が知られている（例えば、特許文献２参照。）。
【特許文献１】特開２００１−３２５８０９号公報
【特許文献２】特開２００３−３１００５号公報
【考案の開示】
【考案が解決しようとする課題】
【０００４】
しかしながら、上述の特許文献に係る技術を含め、従来の技術では例えば以下のような問題があった。
すなわち、従来の技術では、個々の光源の大きさが小さいという発光ダイオードの特性を生かした発光態様を提供できているとは言いがたかった。
【０００５】
本考案は、以上の問題に鑑みてなされたものである。すなわち、本考案の課題は、新規な発光態様を提供可能な照明技術を提供することにある。
【課題を解決するための手段】
【０００６】
上記課題を解決するために、本考案は以下の手段とした。
すなわち、本考案は、発光素子を配置する板状の素子配置部と、素子配置部の発光素子を配置した側の面が鏡面とされる鏡面部と、発光素子の照射方向側に設けられ所定の透過率をもって光を透過する鏡面であるハーフミラー部と、を備える。
【０００７】
本考案は、所定の透過率をもって光を透過するように形成されたハーフミラー部を素子配置部に配置された発光素子からの照射方向に設けることにより、発光素子の像が発光素子側に反射される。この反射された発光素子の像は、素子配置部上に設けられた鏡面部によって再度照射方向側に反射される。そして、ハーフミラー部は、上述のように所定の透過率を持って光を照射方向側(外方)に透過する。このため、鏡面部によって反射された発光素子の像及び発光素子から照射された発光の一部は、ハーフミラー部を透過して照射方向に照射される。つまり、本考案によって、鏡面部とハーフミラー部との間で多重反射を起こすことが可能になる。
【０００８】
従って、本考案によれば、上記のような構成により、多重反射を利用して新規な発光態様を提供することができる照明技術を得ることができる。
【０００９】
また、本考案は、複数の発光素子を用いてもよい。このようにすれば、本考案は、複数の発光素子によって多重反射を利用した新規な発光態様を提供することができる。
【００１０】
また、本考案は、白熱電球用ソケットと結合可能な形状に形成され、ソケットから複数の発光素子に給電する口金を備えるようにしてもよい。このようにすれば、本考案は、従来の白熱電球との交換が容易になるため、新規な発光態様を容易に提供することが可能となる。
【考案の効果】
【００１１】
本考案によれば、新規な発光態様を提供可能な照明技術を提供することができる。
【考案を実施するための最良の形態】
【００１２】
以下、図面を参照して本考案を実施するための一の形態である、照明装置について説明する。以下の実施の形態の構成は例示であり、本考案の照明装置は実施の形態の構成に限定されない。
【００１３】
図１は、本実施の形態に係る照明装置１の一例を示す斜視図である。また、図２は、照明装置１の分解斜視図である。さらに、図３は、照明装置１の側断面図である。
【００１４】
図１から３に示すように、照明装置１は、発光素子の一例である複数の発光ダイオード２と、発光ダイオード２を配置するための板状の素子配置部３と、素子配置部３の発光ダイオード２照射方向側に設けられる鏡面部４と、発光ダイオード２の照射方向側（図１から３において発光ダイオード２の上方）に設けられるハーフミラー部５と、素子配置部３，鏡面部４，ハーフミラー部５を保持して照明装置１の外形を形成する上部ケース部６及び下部ケース部７と、ハーフミラー部５を上部ケース部６に保持するガラス押さえ８と、下部ケース部７に設けられ発光ダイオード２に給電する口金９と、発光ダイオード２に所定の電圧及び電流で電力を供給するための回路部１０とを備える。
【００１５】
発光ダイオード２は、本実施の形態ではいわゆる砲弾型と称される種類のものを用いる。本実施の形態では、白色光を発光する発光ダイオードを用いる。また、発光ダイオード２は、円形状の素子配置部３上にその外形に沿って円を描くように配置される。なお、この発光ダイオード２の配置は、本実施の形態には限定されず、例えば十字型に配置すること、あるいは三角形や四角形などの様々な配置を採ることができる。
【００１６】
また、発光ダイオード２は、所定の方法でこの素子配置部３に固定されている。そして、素子配置部３に取り付けられた発光ダイオード２は、回路部１０を介して口金９と所定の方法で電気的に接続する外部電極（不図示）から給電されて発光する。
【００１７】
発光ダイオード２と素子配置部３との間には、ほぼ素子配置部３と同じ形状にされた鏡面部４が素子配置部３と重ね合わされて組み付けられている。鏡面部４は、発光ダイオード２側の表面が鏡面にされている。
【００１８】
ハーフミラー部５は、素子配置部３，鏡面部４を保持する上部ケース部６の上方（発光ダイオード２の照射方向側）に設けられている。このハーフミラー部５は、所定の透過率をもって光を反射するように反射膜を形成した公知のハーフミラーの技術を用いて作られたものである。このハーフミラー部５によって、発光ダイオード２から照射された光の像が上部ケース部６内部で鏡面部４側に反射する。このハーフミラー部５から反射された発光ダイオード２の像は、鏡面部４によって再度反射される。
【００１９】
そして、ハーフミラー部５が所定の透過率をもっているため、発光ダイオード２からの光と鏡面部４によって反射された発光ダイオード２からの光との一部は、ハーフミラー部５から外方に照射される。また、ハーフミラー部５から外方に照射されない光は、ハーフミラー部５と鏡面部４との間で反射を繰り返す。このため、照明装置１は、発光ダイオード２の点灯時には、発光ダイオード２の発光した像が多数連なって見えることになり、従来にない新規な発光態様を提供することができる。
【００２０】
なお、ハーフミラー部５の透過率は、本実施の形態の場合ではおよそ５０％とするのが望ましい。本実施の形態において、ハーフミラー部５の透過率を５０％より低くすると発光ダイオード２の発光像が多重反射により多数重なって見える効果が高くなるが、その場合照射される光量が低下する。一方で、ハーフミラー部５の透過率を５０％より高くすると発光ダイオード２の発光像が多重反射により多数重なって見える効果は低くなるが、その場合照射される光量が向上する。従って、ハーフミラー部５の透過率は、照明装置１の使用態様や要求される光量などを考慮して設定することが考えられる。
【００２１】
口金９は、一般の白熱電球用のソケットに合わせた口金形状を採っている。そして、照明装置１は、この口金９から給電された電力を回路部１０によって発光ダイオード２を発光させるのに適したものにする。このため、照明装置１は、従来からの白熱電球から容易に置き換えることができる。
【図面の簡単な説明】
【００２２】
【図１】本発明の実施の形態に係る照明装置の斜視図である。
【図２】本実施の形態に係る照明装置の分解斜視図である。
【図３】本実施の形態に係る照明装置の断面図である。
【符号の説明】
【００２３】
１    照明装置
２    発光ダイオード
３    素子配置部
４    鏡面部
５    ハーフミラー部
６    上部ケース部
７    下部ケース部
８    ガラス押さえ
９    口金
１０    回路部
【図１】
0003117254.tif 000003
【図２】
0003117254.tif 000004
【図３】
0003117254.tif 000005